(57)【特許請求の範囲】
【請求項１】
供給源からガス状、ガス媒介又は液滴状物質の服用分を投与するための投与装置において、
マウスピース（２）を有する本体（１）と、
本体（１）内にあり、物質供給源の流出口（Ｓ）を受けるためのソケット（４３）を有する接合部材（４１）と、
前記物質からなり或いはその物質を含むガス及び／又は液体の放出を制御するために接合部材（４１）と一体化された呼吸作動バルブであって、しかも接合部材（４１）の流出口に連結されたバルブ入口から延びる、前記ガス又は液体物質の服用分を受容するための可撓性チューブにして、バルブの閉鎖のために折り曲げ可能であり且つバルブの開放のために非折り曲げ状態にある開放位置に移動可能である屈曲可能部分（４５）と、前記屈曲可能部分（４５）の折り曲げ／非折り曲げのために移動可能な出口端（４６）とを有する可撓性チューブと、可撓性チューブの折り曲げ／非折り曲げ運動の制御のために可撓性チューブの出口端（４６）を支持する共に接合部材（４１）に回動可能に枢支された回動出口部材（４８）であって、該回動出口部材（４８）が準備位置にある時は可撓性チューブが閉塞する程度まで折り曲げ状態にされると共に、該回動出口部材（４８）がその開放位置に移動させられる時には可撓性チューブが非折り曲げ状態にされるようにした回動出口部材（４８）とからなる呼吸作動バルブと、
吸入に先立って回動出口部材（４８）を準備位置に保持するために該回動出口部材（４８）上に設けられた留め金（５９１、５９２）と、
接合部材（４１）上に支持されると共に吸入呼吸による作動のために配置され、留め金（５９１、５９２）と相補的な掛け金（７０）を有する呼吸作動フラップ（６１）であって、回動出口部材（４８）を、可撓性チューブの折り曲げによる閉鎖のために掛け金（７０）と留め金（５９１、５９２）の作動を介して係止させると共に、吸入時には掛け金（７０）による留め金（５９１、５９２）の解放と回動出口部材（４８）の開放位置への運動により可撓性チューブを非折り曲げ状態にすると共に物質を放出させるために開放するようにした呼吸作動フラップ（６１）とからなるものであって、
供給源が、投与量計量バルブを本体（１）内に保持された加圧薬剤容器（Ｃ）であり、且つ接合部材（４１）が、容器方向への移動と該接合部材（４１）を介しての呼吸作動バルブへの服用分の分配のために本体（１）内に摺動可能に設けられたことを特徴とする投与装置。
【請求項２】
請求項１に記載の投与装置において、投与装置がマウスピース（２）のための回動閉鎖体（３）を含み、該回動閉鎖体（３）が、服用分の放出のために接合部材（４１）を容器方向に移動させるべく、枢軸（Ａ）とその軸上に配置されたカム（２３１、２３２）を有する投与装置。
【請求項３】
請求項２に記載の投与装置において、呼吸作動フラップ（６１）上における指状体（６５）と回動閉鎖体（３）に定着した指状体（２５）が、装置の閉鎖時に回動出口部材（４８）をその放出準備位置から吸入なしに解放するために協働するように配置された投与装置。
【請求項４】
請求項１〜３の何れかに記載の投与装置において、回動出口部材（４８）が、可撓性チューブ内部の加圧下及び／又は可撓性チューブの弾力下に移動するように配置された投与装置。
【請求項５】
請求項１〜４の何れかに記載の投与装置において、接合部材（４１）、可撓性チューブ（４５、４６）及び回動出口部材（４８）がプラスチック材料の一体射出成形物であり、回動出口部材（４８）が、一つ又はそれ以上のリビングヒンジ（４９）により接合部材（４１）に回動可能に枢支されると共に可撓性チューブの屈曲可能部分（４５）の下流に出口ノズル（４６）を有する投与装置。
【請求項６】
請求項５に記載の投与装置において、接合部材（４１）が、呼吸作動フラップ（６１）を回動可能に枢支するために二対の枢支クリップ（５８１、５８２）を有し、該呼吸作動フラップ（６１）が、その基部近辺の端縁に二つの成形された枢支ピン（６０）を有する投与装置。
【請求項７】
請求項５又は６に記載の投与装置において、呼吸作動フラップ（６１）が、回動出口部材（４８）上の留め金（５９１、５９２）又は各留め金と協働するための少なくとも一つの掛け金（７０）を有し、その場合に、掛け金（７０）と留め金（５９１、５９２）がそれらの係合時に、接合部材（４１）上の呼吸作動フラップ（６１）及び回動出口部材（４８）の枢軸（Ｂ、Ｄ）を通る平行な平面（Ｂ'、Ｄ'）間に配置されるように構成され、それによって吸入呼吸による呼吸作動フラップ（６１）の移動が、掛け金（７０）を前記枢軸（Ｂ、Ｄ）を通る共通平面（Ｐ）の方向に移動させて、留め金（５９１、５９２）と回動出口部材（４８）を解放するようにした投与装置。
【請求項８】
請求項７に記載の投与装置において、掛け金（７０）と留め金（５９１、５９２）がそれらの係合時に、前記枢軸（Ｂ、Ｄ）を通る前記共通平面（Ｐ）の一方側に配置された投与装置。
【請求項９】
請求項７又は８に記載の投与装置において、掛け金（７０）が掛け金表面（７１）と反対側の表面にカム表面（７２）を有し、それによって留め金（５９１、５９２）が、投与装置の放出準備中を通してカム表面（７２）に沿って運動するように作動すると共に係合表面（７１）と係合するようにした投与装置。
【請求項１０】
請求項１〜９の何れかに記載の投与装置において、呼吸作動フラップ（６１）が接合部材（４１）に作用する一体的なスプリング（６６）を有し、該スプリング（６６）が呼吸作動フラップ（６１）に、正常に吸入空気流の上流位置へのバイアスをかけるようにした投与装置。
【請求項１１】
請求項１〜１０の何れかに記載の投与装置において、呼吸作動フラップ（６１）が指状体（６４）を含み、該指状体（６４）は、呼吸作動フラップ（６１）が吸入呼吸の作用下に移動する時に、回動出口部材（４８）に作用して該回動出口部材（４８）を開放位置方向に付勢するように配置された投与装置。
【発明の詳細な説明】
【技術分野】
【０００１】
本発明は、投与装置、特に、限定されるものではないが、エアゾル又は粉末媒介薬剤を投与するための装置に関する。
【背景技術】
【０００２】
本出願人の先行国際特許出願Ｎｏ．ＷＯ９８／４１２５４（「私の第一国際出願」）には、少なくとも、ヨーロッパ地域への国内段階への移行に際して補正されたように、ガス状物質、ガス媒介物質又は液滴状物質のための投与装置が説明され且つクレームされている。
前記投与装置は、
端部に吸入／吹込みオリフィスを備えたマウスピースを有する本体と、前記物質からなり或いはその物質を含むガス又は蒸発性液体の（本体により保持された）供給源のための本体内にある接合部材と、そして前記ガス又は液体の放出を制御するための呼吸作動バルブとからなり、
さらに該呼吸作動バルブは、
接合部材に連結されたバルブ入口と、バルブ出口と、前記ガス又は液体を受容するための可撓性チューブであって、接合部材からバルブ入口とバルブ出口の間に延び、バルブの閉鎖のためにチューブが折り曲げ状態にある閉鎖位置と、バルブの開放のためにチューブが非折り曲げ状態にある開放位置との間を移動し得る可動部分を有する可撓性チューブと、チューブの可動部分を移動させてチューブの折れ曲がりを制御するためのものであり、吸入の動作により、停止位置からオリフィスに向って或いは少なくとも投与装置を通る空気流の方向に移動するために本体内に移動可能に設けられた可動部材とからなり、
該可撓性チューブは、可動部材が停止位置にある時は閉塞する程度まで折り曲げ状態にされると共に、可動部材がガス又は液体の放出のために吸入時に移動させられる時には非折り曲げ状態にされるものである。
本出願人は、「私の第一国際出願」が屈曲バルブを備えた吸入器をとりわけ保護するものと見ている。
【０００３】
本出願人は、「私の第一国際出願」に係る投与装置に改良を施し、本出願人の国際特許出願Ｎｏ．ＷＯ０２／１１８０２（「私の第二国際出願」）には、ガス状物質、ガス媒介物質又は液滴状物質のための投与装置が説明され且つクレームされている。
前記投与装置は、
マウスピースを有する本体と、物質供給源のための本体内にある接合部材と、そして前記物質からなり或いはその物質を含むガス又は液体の放出を制御するための呼吸作動バルブとからなり、
さらに該呼吸作動バルブは、
前記ガス又は液体を受容するための可撓性チューブであって、接合部材に連結されたバルブ入口から延び、バルブの閉鎖のために折り曲げ可能であり且つバルブの開放のために非折り曲げ状態にある開放位置に移動可能である部分を有する可撓性チューブと、吸入により本体内を移動してバルブを非折り曲げ状態にするために配設された可動部材とからなり、
該可撓性チューブは、可動部材が準備位置にある時は閉塞する程度まで折り曲げ状態にされると共に、可動部材がガス又は液体の放出のために吸入時に動かされる時は非折り曲げ状態にされるものであり、
その場合において、
可動部材が、吸入時の呼吸作動のために本体内に配設された可動フラップであり又はそれを含み、接合部材、可撓性チューブ及び可動フラップがプラスチック材料の一体射出成形物であり、且つ可動フラップが接合部材に回動可能に枢支されている。
本出願人は、「私の第二国際出願」が、呼吸作動のための可動フラップと一体化された屈曲バルブを備えた吸入器をとりわけ保護するものと見ている。
【０００４】
「私の第二国際出願」の重要な特徴は、
１．接合部材が、供給源から物質の一服用分を放出するための方向への運動のために本体内に摺動可能に設けられ、そして投与装置が、接合部材の初期運動時又はその前に可動フラップをその準備位置に回動可能に枢支するための手段と、服用分の放出後に接合部材を復帰させる接合部材付勢手段とを含み、
２．接合部材付勢手段が供給源内にあるスプリングであり、そして投与装置が、供給源を、接合部材がその方向に移動可能にした状態で本体内に位置決めする手段と、服用分を屈曲可能な可撓性チューブ内に放出するために、接合部材を供給源の方向に移動させるための手段とを含み、
３．接合部材を移動させるための手段が、本体上に回転可能に配置された把持部材と、接合部材を供給源の方向に移動させるべく把持部材の回転運動を直線運動に変換するために配置された回転‐直線運動変換機構とからなり、そして可動フラップを回動可能に枢支する手段が該運動変換機構に組み込まれたことにある。
【０００５】
さらに、本出願人は、「私の第一国際出願」に係る投与装置に他の改良を施し、本出願人の国際特許出願Ｎｏ．ＷＯ０２／０５８７７２（「私の第三国際出願」）には、「私の第一国際出願」に係る投与装置と同様の投与装置が説明され且つクレームされている。
前記投与装置は、
マウスピースを有する本体と、物質供給源のための本体内にある接合部材と、そして前記物質からなり或いはその物質を含むガス又は液体の放出を制御するための呼吸作動バルブとからなり、
さらに該呼吸作動バルブは、
前記ガス又は液体を受容するための可撓性チューブであって、接合部材に連結されたバルブ入口から延び、バルブの閉鎖のために折り曲げ可能であり且つバルブの開放のために非折り曲げ状態にある開放位置に移動可能である部分を有する可撓性チューブと、吸入時にバルブを折り曲げるように本体内を移動するために配設された出口可動部材とからなり、
該可撓性チューブは、出口可動部材が準備位置にある時は閉塞する程度まで折り曲げ状態にされると共に、出口可動部材がガス又は液体の放出のために吸入時に動かされる時は非折り曲げ状態にされるものであり、
さらに、該投与装置は、
出口可動部材を、吸入に先立って折り曲げによりチューブを閉鎖する準備位置に保持する留め金と、吸入時に移動して、留め金を解除すると共に出口可動部材をガス又は液体の放出のために移動させるように本体内に配設された呼吸作動フラップとを含むものである。
本出願人は、「私の第三国際出願」が、呼吸作動フラップから独立して形成されると共に呼吸作動フラップ上の留め金により開放される屈曲バルブを備えた吸入器をとりわけ保護するものと見ている。
【特許文献１】国際特許出願Ｎｏ．ＷＯ９８／４１２５４
【特許文献２】国際特許出願Ｎｏ．ＷＯ０２／１１８０２
【特許文献３】国際特許出願Ｎｏ．ＷＯ０２／０５８７７２
【発明の開示】
【発明が解決しようとする課題】
【０００６】
本発明の目的は、本出願人の前記３件の国際特許出願に係る一連の主題発明における更なる改良を提供することにあり、特に、屈曲バルブが作動フラップと一体化されている「私の第二国際出願」に代替する「私の第三国際出願」における作動フラップ構造を改良することにある。
【課題を解決するための手段】
【０００７】
本発明によれば、供給源からガス状、ガス媒介又は液滴状物質の服用分を投与するための投与装置が提供される。
前記投与装置は、
マウスピースを有する本体と、
本体内にあり、物質供給源の流出口を受けるためのソケットを有する接合部材と、
前記物質からなり或いはその物質を含むガス及び／又は液体の放出を制御するために接合部材と一体化された呼吸作動バルブであって、しかも接合部材の流出口に連結されたバルブ入口から延びる、前記ガス又は液体物質の服用分を受容するための可撓性チューブにして、バルブの閉鎖のために折り曲げ可能であり且つバルブの開放のために非折り曲げ状態にある開放位置に移動可能である屈曲可能部分と、前記屈曲可能部分の折り曲げ／非折り曲げのために移動可能な出口端とを有する可撓性チューブと、可撓性チューブの折り曲げ／非折り曲げ運動の制御のために可撓性チューブの出口端を支持する共に接合部材に回動可能に枢支された回動出口部材であって、該回動出口部材が準備位置にある時は可撓性チューブが閉塞する程度まで折り曲げ状態にされると共に、該回動出口部材がその開放位置に移動させられる時には可撓性チューブが非折り曲げ状態にされるようにした回動出口部材とからなる呼吸作動バルブと、
吸入に先立って回動出口部材を準備位置に保持するために該回動出口部材上に設けられた留め金と、
接合部材上に支持されると共に吸入呼吸による作動のために配置され、留め金と相補的な掛け金を有する呼吸作動フラップであって、回動出口部材を、可撓性チューブの折り曲げによる閉鎖のために掛け金と留め金の作動を介して係止させると共に、吸入時には掛け金による留め金の解放と出口部材の開放位置への運動により可撓性チューブを非折り曲げ状態にすると共に物質を放出させるために開放するようにした呼吸作動フラップとからなるものである。
【０００８】
通常、供給源は、投与量計量バルブを本体内に保持された加圧薬剤容器であり、また接合部材は、容器方向への移動と接合部材を介しての呼吸作動バルブへの服用分の分配のために本体内に摺動可能に設けられる。
【０００９】
好ましい実施態様では、投与装置はマウスピースのための回動閉鎖体を含み、該回動閉鎖体は、服用分の放出のために接合部材を容器方向に移動させるべく、枢軸とその軸上に配置されたカムを有する。
【００１０】
このような投与装置において、好都合な特徴は、呼吸作動フラップ上における指状体と回動閉鎖体に定着した指状体が、装置の閉鎖時に回動出口部材をその放出準備位置から吸入なしに解放するために協働するように配置された構成にある。
【００１１】
好ましくは、回動出口部材は、可撓性チューブ内部の加圧下及び／又は弾力下、特に可撓性チューブの弾力下に移動するように配置される。
【００１２】
通常、接合部材、可撓性チューブ及び回動出口部材は、プラスチック材料の一体射出成形物であり、回動出口部材は、一つ又はそれ以上のリビングヒンジにより接合部材に回動可能に枢支され、可撓性チューブの屈曲可能部分の下流に出口ノズルを有する。
【００１３】
好都合なものでは、接合部材は、呼吸作動フラップを回動可能に枢支するために二対の枢支クリップを有し、該呼吸作動フラップは、その基部近辺の端縁に二つの成形された枢支ピンを有する。
【００１４】
さらに、好ましい実施態様においては、呼吸作動フラップは、回動出口部材上の留め金又は各留め金と協働するための少なくとも一つの掛け金を有し、その場合に、掛け金と留め金がそれらの係合時に、接合部材上の呼吸作動フラップ及び出口部材の枢軸を通る平行な平面間に配置されるように構成され、それによって吸入呼吸による呼吸作動フラップの移動が掛け金を前記枢軸を通る共通平面の方向に移動させて、留め金と回動出口部材を解放するものである。
【００１５】
また、掛け金と留め金は、それらの係合時に、前記枢軸を通る共通平面の一方側に配置される。掛け金は、掛け金表面と反対側の表面にカム表面を有し、それによって留め金が、投与装置の放出準備中を通してカム表面に沿って運動するように作動すると共に係合表面と係合する。
【００１６】
好ましくは、呼吸作動フラップは、接合部材に作用する一体的なスプリングを有し、該スプリング（６６）が呼吸作動フラップ（６１）に、正常に吸入空気流の上流位置へのバイアスをかける。そして、呼吸作動フラップは指状体を含み、該指状体は、呼吸作動フラップが吸入呼吸の作用下に移動する時に、回動出口部材に作用して該回動出口部材を開放位置方向に付勢するように配置される。
【発明を実施するための最良の形態】
【００１７】
本発明の理解に資するために、本発明の実施態様を実施例により、添付図面に照らして以下に説明する。
図１は本発明に係る閉鎖位置にある投与装置の斜視図であり、図２は開放位置にある投与装置の前記と類似の透視図であり、図３は閉鎖された投与装置の中央横断面図であり、図４は投与装置の分解組立て図であり、図５は投与装置の主要本体部の前方から見た内部斜視図であり、図６は投与装置のカバーの内部、背面図であり、図７は投与装置の前方本体部の前方及び下方から見た斜視図であり、図８は投与装置の前方本体部の反対方向から見た斜視図であり、図９は投与装置の接合部材の前方及び下方から見た成形形態を示す斜視図であり、図１０は接合部材の背面図であり、図１１は図１０におけるＡ−Ａ線に沿った接合部材の横断面図であり、図１２は図６におけるＣ−Ｃ線に沿ったカバーの横断面側面図であり、図１３は図６におけるＢ−Ｂ線に沿ったカバーの中央横断面側面図であり、図１４は投与装置のフラップの背後から見た透視図であり、図１５はフラップの平面図であり、図１６はフラップの側面図であり、そして図１７は接合部材内のフラップと屈曲バルブにおけるバルブの作動を示す一連の断片図である。
【００１８】
図１〜４を参照すると、それらに示される投与装置は、「私の第三国際出願」の特徴を含んでいるとしても、「私の第二国際出願」に係る図１３〜１７に示されたものを発展させたものである。
【００１９】
前記投与装置は、マウスピース２とその回動カバー３とを備えた本体１を有する。マウスピース２は、主本体部６に固定された分離本体部５における開口部４として形成されている。主本体部６は上下の構造７、８を有し、またマウスピース部は上下の相補的構造９、１０を有し、それら上下の相補的構造は、マウスピース部が下方から摺動して主本体部６と係合する時に互いに係合する。分離本体部５は、空気入口１２を画定させるために主本体部６に対して一部１１において切断され、該空気入口１２はカバー３の開口時に露出される。主本体部６には、薬剤缶体Ｃが嵌合されている。開口部４の直ぐ内側には、ガード１３が小さな指の進入に備えている。それは、フランジ１４を強化することにより支持され、該フランジ１４は、さらにカム機構を次の段落に記載されるように保護している。
【００２０】
ガード１３の上方には４本一組のリブ１５１、１５２が延び、更なる保護を与えている。端側リブ１５１は比較的長く、下記作動機構が不調状態になった場合にフラップの最終的な停止をもたらすものである。内側リブ１５２は、該機構が作動した時に空気入口１２と開口部４との間に圧力低下を引き起こすように流れ絞り器として作用し、主として装置を通過する空気の流速を制御する。
【００２１】
カバー３（図６、１２及び１３参照）は、二つの本体部５、６間の接合部において、本体１内の低位置における枢軸Ａを介して回動可能に枢支されている。カバー３と一体に、Ｃ形断面のシャフト２１がウエブ２２を介して成形されている。シャフト２１はカム配列２３を支持し、該カム配列２３は、二つのカム葉片２３１及び２３２と、二つの指状体、即ち中央の指状体２４及び外側の指状体２５とから構成されている。後者の指状体２５は、一対のディスク２６の一方と一体化され、該ディスク２６とカム葉片２３１及び２３２との間において、シャフト２１が、主本体部６内部に一体成形されたフランジ２８における部分円形のジャーナル軸受け２７により、ベアリングを介して支持されている。二つの本体部５、６間の接合部の軸線上には、さらなる同軸上の扇形切欠き２９がシャフト２１のために配備されている。
【００２２】
本体部５、６及びカバー３は、（シャフト２１及びカム配列２３と共に）ポリプロピレン材料の成形物から形成され、それによってそれらの部材は、僅かの可撓性をもって互いに係合されている。
【００２３】
缶体Ｃは、主本体部６上端の開口部３１内に保持され、そこでは、本体部６が缶体Ｃのバルブ折り目部ＣＰ周囲に十分に延長している。主本体部６に缶体Ｃを連結させておくための実際の構造は、本発明の如何なる部分も構成するものではなく、これは、本出願人の最近提出された英国特許出願Ｎｏ．０２２７４８９．２の中で説明されているようなものであってもよい。
【００２４】
主本体部６の内部には、内部溝３２が開口部３１の内側に成形されている。接合部材４１（図９、１０及び１１参照）が、本体１内に周囲のリブ４２を溝３２に係合させて摺動可能に収容されている。
【００２５】
接合部材４１もまた、ポリプロピレン材料の成形物から形成されている。中心において、接合部材４１は、缶体Ｃの出口ステムＳのためのソケット４３を有する。ソケット４３は通路４４により延長され、該通路４４は可撓性チューブからなり、薄い壁の屈曲可能チューブ４５とノズル端４６を有する。このノズル端４６は、接合部材４１の蝶番可動部４８内にある。接合部材４１の主部４１１と蝶番可動部４８は、ラグ５０１、５０２とタブ５１１、５１２の間における接合部材４１の各側で、二つの膜４９１、４９２の形態からなるリビングヒンジ４９により連結されている。タブ５１１、５１２は、ノズル開口部５３を有するバー５２により互いに連結されている。ラグ５０１、５０２の間に且つ屈曲可能チューブ４５の何れの側にも、二つ伴板５４１、５４２が延び、それらの伴板５４１、５４２は、各ラグ５０１、５０２と一体化されると共にカム葉片２３１、２３２により作動させられ、主本体部６の内部から延びる舌状体５５１、５５２の介在で、接合部材４１にカムから側面方向の作用を及ぼすものである。伴板５４１、５４２は、ヒンジ枢軸Ｈを中心とするアール状部分５６に形成され、上下のバルブ移動停止体５７１、５７２を有する。
【００２６】
さらに、ラグ５０１、５０２は、それらの側面をアール状部分５６と同じ方向に向けて複数対の枢支クリップ５８１、５８２を保持し、それらの枢支クリップ５８１、５８２は後述のようにフラップを回動可能に位置決めする。成形物の同じ側において、一対の留め金５９１、５９２がタブ５１１、５１２上に配備されている。
【００２７】
フラップ６１（図１４、１５及び１６参照）は、枢軸Ｂを有する。枢軸Ｂの両端において、フラップ６１は小さなスラストフランジ６２を有し、それらから枢支ピン６０が差し込まれている。枢支ピン６０の中央寄りには、二つの膨張部６３が形成されている。それらの枢支ピン６０の各々は、それから斜め下方向に延びる指状体６４、６５を有する。膨張部６３の一方は、背後、内側及び再度前方に延びるリング環６６を有し、その遠端６７が膨張部６３に隣接すると共にその基端６８が膨張部６３に取り付けられている。枢支ピン６０から膨張部６３内にかけて、開口部６９が上方から形成され、掛け金７０が開口部６９の下方に延びている。これらの掛け金７０は、成形中に開口部６９を通して突出させることにより掛け金表面７１を形成させている。掛け金７０は、さらにカム表面７２を有する。これらのカム表面７２は、装置が放射準備状態にある時に留め金５９１、５９２と隣接するように位置決めされている。留め金５９１、５９２は、その後、カム表面７２の端部を通過し、掛け金表面７１上に係合する。フラップ６１の最後の特徴は舌状体７３であり、それは伴板５４１、５４２の間に延び、それがなければ生じ得る空気漏れを制御する。
【００２８】
そこで、装置の作動を以下に説明する。
先ず、装置が閉鎖され、可撓性部材は緩和された状態にある。換言すれば、フラップ６１は、図３及び図１７（４）に示されるように、その上方の上流位置にあり、接合部材４１の蝶番可動部４８はその下方に位置している。フラップ６１は、この位置にそのスプリング６６により保持され、その遠端６７は、ラグ５０２から差し込まれた取付け台８１上に保持されている。接合部材４１の蝶番可動部４８は、屈曲可能チューブ４５がその成形状態へと真っ直ぐになる傾向を有するために、下方に傾斜して枢支されている。その位置は、カム葉片２３１及び２３２と隣接するためにバー５２から側面方向に伸びる二つの指状体８２により制御される。
【００２９】
カバー３の開放時は、図１７（１）に示されるように、カム葉片２３１及び２３２が、舌状体５５１、５５２を介して伴板５４１、５４２に作用する。それらは、接合部材４１を缶体Ｃ内の計量バルブにある内部スプリング（図示されない）に抗して上昇させ、出口ステムＳを缶体Ｃの内部に移動させる。また、カバー３が回転させられると、カム葉片２３１及び２３２間の中央の指状体２４が蝶番可動部４８における指状体８２間の窪み付き突出部８３と係合する。この動作により、蝶番可動部４８が上昇すると共に屈曲可能チューブ４５が閉鎖される。接合部材４１の更なる上昇により、缶体Ｃの計量バルブが開放され、そして該計量バルブにより計量された服用分が前記屈曲可能チューブ４５の上方部内に放出される。その服用分は、屈曲可能チューブ４５が閉鎖バルブとして作用することにより、そこに貯留されることになる。
【００３０】
当然ながら、前記服用分は、接合部材４１の蝶番可動部４８が既に移動した上方位置に保持されている間にのみ貯留される。このような接合部材４１の上方位置への保持は、留め金５９１、５９２が掛け金７０のカム表面７２に沿って運動すると共に掛け金表面７１と係合することにより達成される。留め金５９１、５９２が前記係合状態にまで運動すると、掛け金７０が後ろ側に移動し、フラップ６１をスプリング６６の作用に抗して幾分下方に回転させる。留め金５９１、５９２がカム表面７２の端部を一旦通過すると、スプリング６６が掛け金７０を留め金５９１、５９２の下方に移動させる。カバー３の中央の指状体２４が蝶番可動部４８の突出部８３との係合から外れて通過するまでに、蝶番可動部４８がさらに回動するための間隔が存する。そこで、装置は、吸入のために準備状態にされる。
【００３１】
マウスピース２を介して息を吸い込むことにより、図１７（２，３）に示されるように、空気流が、カバーの開放時に露出した空気入口１２を下方に通過し、フラップ６１自体に当たる。そのフラップ６１は、スプリング６６の作用に抗して下方に吹き動かされ、留め金５９１、５９２を解放する。屈曲可能チューブ４５は、それ自体の弾力と貯留された服用分の圧力の下に真っ直ぐになる傾向にあり、服用分が吸入のためにノズル端４６を介してマウスピース２内に放出されるが、該ノズル端４６は、服用分が放出される時にマウスピース２の開口部４の方に回動する。
【００３２】
フラップ６１と蝶番可動部４８の幾何学的な構成を図１７内に見ることができる。フラップ６１の枢軸Ｂは蝶番可動部４８の枢軸Ｄから間隔を置かれ、留め金５９２と掛け金７０の係合点は、枢軸Ｂ及びＤを通る平行な平面Ｂ'及びＤ'の間に配置されている。実際の係合点は、前記枢軸Ｂ及びＤを通る共通平面Ｐのフラップ６１側に位置している。
【００３３】
装置の使用後、カバー３が閉鎖される。カムが可動部材を下方に復帰させ、カム表面８４が反対面に向いた結果として、指状体２４が窪み付き突出部８３を通過する。
【００３４】
仮に屈曲可能チューブ４５がその弾力を失うと共に開放に遅れると、指状体６４が、フラップ枢支部のスプリング側で、蝶番可動部４８のラグ５１１と一体に成形されると共にヒンジ枢軸Ｈの後方に延びるラグ８５に作用する。これにより、蝶番可動部４８は、その開放位置に移動させられる。
【００３５】
更なる可能な事態は、吸入なしのカバー３の閉鎖である。この事態では、指状体６５が指状体２５により係合されて、フラップ６１を蝶番可動部４８が服用分を放出する位置に移動させる。フラップ６１の前記移動後に、スプリング６６がフラップ６１を復帰させる（これは、たとえ服用分が吸入により放出されたとしても、当然ながら閉鎖時に生じる）。このようにして、装置が、プラスチック材の弾力特性が緩和されるその初期位置に復帰させられる。
【００３６】
装置の（缶体Ｃを除く）総ての構成部材は、フラップ６１を除いてポリプロピレンから成形され、そのスプリング６６についてはアセタールの使用を指示している。
【図面の簡単な説明】
【００３７】
【図１】本発明に係る閉鎖位置にある投与装置の斜視図である。
【図２】開放位置にある投与装置の前記と類似の透視図である。
【図３】閉鎖された投与装置の中央横断面図である。
【図４】投与装置の分解組立て図である。
【図５】投与装置の主要本体部の前方から見た内部斜視図である。
【図６】投与装置のカバーの内部、背面図である。
【図７】投与装置の前方本体部の前方及び下方から見た斜視図である。
【図８】投与装置の前方本体部の反対方向から見た斜視図である。
【図９】投与装置の接合部材の前方及び下方から見た成形形態を示す斜視図である。
【図１０】接合部材の背面図である。
【図１１】図１０におけるＡ−Ａ線に沿った接合部材の横断面図である。
【図１２】図６におけるＣ−Ｃ線に沿ったカバーの横断面側面図である。
【図１３】図６におけるＢ−Ｂ線に沿ったカバーの中央横断面側面図である。
【図１４】投与装置のフラップの背後から見た透視図である。
【図１５】フラップの平面図である。
【図１６】フラップの側面図である。
【図１７】接合部材内のフラップと屈曲バルブにおけるバルブの作動を示す一連の断片図である。
【符号の説明】
【００３８】
Ｃ  缶体
Ｓ  流出口（出口ステム）
１  本体
２  マウスピース
３  回動閉鎖体（カバー）
４１  接合部材
４３  ソケット
４５  屈曲可能部分（屈曲可能チューブ）
４６  出口端（出口ノズル、ノズル端）
４８  回動出口部材（蝶番可動部）
６１  呼吸作動フラップ（フラップ）
７０  掛け金
５９１、５９２  留め金
【図１】
0004570612.tif 000002
【図２】
0004570612.tif 000003
【図３】
0004570612.tif 000004
【図４】
0004570612.tif 000005
【図５】
0004570612.tif 000006
【図６】
0004570612.tif 000007
【図７】
0004570612.tif 000008
【図８】
0004570612.tif 000009
【図９】
0004570612.tif 000010
【図１０】
0004570612.tif 000011
【図１１】
0004570612.tif 000012
【図１２】
0004570612.tif 000013
【図１３】
0004570612.tif 000014
【図１４】
0004570612.tif 000015
【図１５】
0004570612.tif 000016
【図１６】
0004570612.tif 000017
【図１７】
0004570612.tif 000018